(57)【要約】      （修正有）【課題】タブレット端末の使用時に、収納マスクに使用者の手指が触れてしまう危険性を減らし、またマスク着脱に際して、収容しているタブレット端末に使用者の手指やマスクが触れてしまう危険性を減らすタブレット端末用ケースを提供する。【解決手段】タブレット端末用ケース１０は、矩形の第１板材２０と、第１板材と同形且つ同寸の矩形の第２板材と、第１板材と第２板材とを長辺において折り曲げ自在に連結する折曲部３３と、第２板材の外装面に開閉自在に取り付けられる矩形の第３板材５０とを有する。第２板材は第１板材に連結される第２主板材３０と、第２主板材に折曲自在に連結される第２副板材４０とを有する。第２副板材はタブレット端末Ｔをその背面において保持し、第３板材は第２副板材よりも長さ及び幅ともに短く、一長辺において第２副板材の外装面に開閉自在に取り付けられ、第３板材の内面と第２副板材の外装面との間にマスクＭを広げた状態で挟持する。【選択図】図１
0003232567.tif 000002
【実用新案登録請求の範囲】
【請求項１】
タブレット端末及びマスクを保持するタブレット端末用ケースにおいて、
矩形の第１板材と、
前記第１板材と同形且つ同寸の矩形の第２板材と、
前記第１板材と前記第２板材とを長辺において折り曲げ自在に連結する折曲部と、
前記第２板材の外装面に対して開閉自在に取り付けられる矩形の第３板材とを有し、
前記第２板材は、前記第１板材に対して前記折曲部を介して連結される第２主板材と、前記第１板材と反対側において前記第２主板材に折り曲げ自在に連結される第２副板材とを有し、
前記第２副板材は、前記タブレット端末をその背面において保持する構造を内面に有し、
前記第１板材は、内面側に前記タブレット端末の表示面に当接して保護する保護面を有し、
前記第３板材は、前記第２副板材よりも長さ及び幅ともに短く、一長辺において前記第２副板材の外装面に開閉自在に取り付けられ、前記第３板材の内面と前記第２副板材の外装面との間に前記マスクを広げた状態で挟持する、タブレット端末用ケース。
【請求項２】
前記第３板材は前記折曲部に近接した位置において前記第２主板材の外装面に開閉自在に取り付けられる請求項１に記載のタブレット端末用ケース。
【請求項３】
前記第２主板材と前記第２副板材とはそれぞれ、前記第１板材の長辺と等価な長さを有し、前記第１板材の短辺の１／２の幅を有する請求項１に記載のタブレット端末用ケース。
【請求項４】
前記第２主板材の外装面と前記第３板材の内面にはそれぞれ抗菌層が形成される請求項１に記載のタブレット端末用ケース。
【請求項５】
前記第１板材と前記第２板材とを閉じた状態で係止する係止部をさらに備えている請求項１に記載のタブレット端末用ケース。
【請求項６】
前記第２主板材と前記第３板材とを閉じた状態で係止する係止部をさらに備えている請求項１に記載のタブレット端末用ケース。
【考案の詳細な説明】
【技術分野】
【０００１】
本考案は、マスクを保持するマスク収納部を有するタブレット端末用ケースに関する。
【背景技術】
【０００２】
多機能ながら携帯性に優れると共に、タッチパネルで操作可能なタブレット端末が多く用いられている。タブレット端末は、電子メールの送受信やスケジュール管理、ＷＥＢ閲覧、プレゼンテーション等に利用されている。タブレット端末は鞄に収容する他、単体で持ち歩くこともあるため、表示面を保護する表示面保護部と、背面を保護する背面保護部が連結部で連結された外装カバーを有するものや、外装カバーの一部を折曲することで、タブレット端末を立てて使用可能なタブレット端末用ケースが知られている（例えば、特許文献１参照。）。
【０００３】
近年、花粉やウィルス、粉塵等の様々な粒子の吸引を防ぐために、あるいは、咳やくしゃみなどにより発生する飛沫等の拡散を防止するために、また口内環境を湿潤に保つためにマスクを使用する機会が増えている。
【０００４】
マスクは、食事や洗顔等の際は外し、タブレット端末用ケースやポケット等に一時保管する必要がある。このような時、マスクを一時的かつ衛生的に保管するマスクケースが種々検討されている（例えば、特許文献２参照。）。これらのマスクケースでは、埃が付着することを防止できると共に、マスクの型崩れを防止することができる。
【０００５】
このようにタブレット端末用ケースやマスクケースは便利ではあるが、それぞれ別個に持ち歩く必要があり、非常に煩雑であった。
【０００６】
タブレット端末をマスクとともに保持できるタブレット端末用ケースが考えられるが、その場合、タブレット端末用ケースを開いて、タブレット端末を使用するときに、タブレット端末用ケースに保管しているマスクに使用者の手指が触れてしまう虞がある。またタブレット端末用ケースからマスクを出し入れする際に、タブレット端末用ケースに保持させているタブレット端末に使用者の手指やマスクが触れてしまう虞もある。
【先行技術文献】
【特許文献】
【０００７】
【特許文献１】特開２０１４−１２０９０９号公報
【特許文献２】実用新案登録第３２２９１４８号公報
【考案の概要】
【考案が解決しようとする課題】
【０００８】
タブレット端末をマスクとともに保持するタブレット端末用ケースにおいて、タブレット端末を使用するときに、タブレット端末用ケースに保管しているマスクに使用者の手指が触れてしまう危険性を減らし、またタブレット端末用ケースからマスクを出し入れする際にも、タブレット端末用ケースに保持されているタブレット端末に使用者の手指やマスクが触れてしまう危険性を減らすことが望まれている。
【課題を解決するための手段】
【０００９】
本考案の実施形態に係るタブレット端末及びマスクを保持するタブレット端末用ケースは、矩形の第１板材と、第１板材と同形且つ同寸の矩形の第２板材と、第１板材と第２板材とを長辺において折り曲げ自在に連結する折曲部と、第２板材の外装面に対して開閉自在に取り付けられる矩形の第３板材とを有する。第２板材は、第１板材に対して折曲部を介して連結される第２主板材と、第１板材と反対側において第２主板材に折り曲げ自在に連結される第２副板材とを有する。第２副板材は、タブレット端末をその背面において保持する構造を内面に有する。第１板材は、内面側にタブレット端末の表示面に当接して保護する保護面を有する。第３板材は、第２副板材よりも長さ及び幅ともに短く、一長辺において第２副板材の外装面に開閉自在に取り付けられ、第３板材の内面と第２副板材の外装面との間にマスクを広げた状態で挟持する。
【図面の簡単な説明】
【００１０】
【図１】本考案の第１実施形態に係るタブレット端末用ケースをタブレット端末使用時の状態で、一方向から見た斜視図。
【図２】図１のタブレット端末用ケースにおいて、タブレット端末収容時の状態を、一方向から見た斜視図。
【図３】本考案の第２実施形態に係るタブレット端末用ケースにおいて、タブレット端末収納時の状態を、一方向から見た斜視図。
【考案を実施するための形態】
【００１１】
以下、図に基づいて、本考案の実施形態について説明する。  
＜第１実施形態＞
図１に示すように、本実施形態に係るタブレット端末用ケース１０は、タブレット端末Ｔを保持し、それとともに、平型のマスクＭを保持する機能を有している。なお、マスクＭの表面をＭａ、装着者の口に接する裏面をＭｂ、耳に引っ掛ける耳掛部をＳとする。マスクＭは、使用目的に応じて布製・不織布製・紙製等の様々な材質から形成されている。
【００１２】
本実施形態に係るタブレット端末用ケース１０は、樹脂等の比較的硬質な材質で形成され、タブレット端末を挟持し、保持するカバーを構成する。タブレット端末用ケース１０は、矩形の第１板材２０と、第１板材２０と同形且つ同寸の矩形の第２板材と、第１板材１０と第２板材とを長辺において折り曲げ自在に連結する折曲部３３と、第２板材の外装面に対して開閉自在に取り付けられる第３板材５０とを有する。第２板材は、第２主板材３０と、第２副板材４０とを有する。第２主板材３０と第２副板材４０とは折り曲げ自在に連結される。
【００１３】
第１板材２０と第２主板材３０はともに矩形状を有する。第２主板材３０の長辺（長さ）は、第１板材２０の長辺と等価な長さを有する。第２主板材３０の短辺（幅）は、第１板材２０の短辺の約１／２の長さを有する。第２主板材３０は第１板材２０に対して長辺において背表紙部（折曲部）３３により折り曲げ自在に連結される。
【００１４】
第２副板材４０は、第２主板材３０に対して、第１板材２０と連結される長辺とは反対側の長辺において折り曲げ自在に連結される。第２副板材４０の長辺は、第２主板材３０の長辺と等価な長さを有する。第２副板材４０の短辺（幅）は、第２主板材３０の短辺と等価な長さを有する。従って第２副板材４０が第２主板材３０に対して平面状に配置されたとき、第２副板材４０と第２主板材３０とを合わせた全体は、第１板材２０と同形且つ同寸をなす。
【００１５】
第２主板材３０の外装面３１には、第３板材（フラップ）５０が開閉自在に取り付けられる。第２主板材３０の外装面３１と第３板材５０の内面との間にマスクＭを挟み込み保持する。第３板材５０は矩形状を有し、その長辺は第２主板材３０の長辺より若干短い。第３板材５０の短辺は第２主板材３０の短辺より若干短い。第３板材５０はその長辺において、第２主板材３０の外装面３１であって、折曲部３３に近い位置に開閉自在に取り付けられる。それにより第１板材２０に対する第２板材と同じ方向に開閉するので、開閉の作業性がよい。
【００１６】
折り畳んだとき、第３板材５０は第２主板材３０の面内に完全に収まる。第１板材２０に対して第２主板材３０を折り畳んだ状態（タブレット収容状態）であっても、第１板材２０に対して第２主板材３０を開いた状態（タブレット使用状態）であっても、さらに第２主板材に対して第２副板材４０が平面状に配置された状態であっても、第２主板材３０に対して第２副板材４０が９０度以下で折り曲げた状態（タブレットスタンド状態）であっても、第３板材５０は第２副板材４０等に干渉することなく自由に開閉自在である。従ってどのような状態であってもマスクＭは着脱可能である。
【００１７】
以下詳細に説明する。  
第１板材２０は、折り畳み時に外側になる外装面２１と、折り畳み時に内側になると共に、タブレット端末Ｔの表示面Ｔａに当接して保護する保護面２２とを有している。
【００１８】
第２主板材３０は、折り畳み時に外側になる外装面３１と、折り畳み時に内側になる内側面３２と、第１板材２０との連結部分となって折り曲げ位置となる折曲部３３とを備えている。外装面３１には、第３板材５０を閉じた状態で係止する係止部（面ファスナ）３４ａが設けられる。外装面３１であって、第３板材５０に対峙する範囲をマスク保持部３４という。マスク保持部３４には、一方の辺側が第２主板材３０に開閉自在に連結された第３板材５０が取り付けられている。第３板材５０は、マスク保持部３４に対峙する保護面５１と、その裏面に相当する外郭面５２を有している。第３板材５０の下方の長辺がマスク保持部３４の下方に一体的、かつ、揺動可能に連結されており、図１中矢印Ｐ方向に閉じることが可能である。
【００１９】
保護面５１には、前述した面ファスナ３４ａに着脱係合する面ファスナ５１ａが取り付けられている。面ファスナ３４ａに面ファスナ５１ａを係合させることで、マスク保持部３４と第３板材５０の間でマスクＭを挟持することができる。面ファスナ３４ａ及び面ファスナ５１ａは、使用者の手で容易に着脱可能で、かつ、自重で開かないものであれば、磁石、ボタン、ホックを用いてもよい。
【００２０】
第２副板材４０は、折り畳み時に外側になる外装面４１と、折り畳み時に内側になると共に、タブレット端末Ｔをその背面Ｔｂ側の一部を例えば粘着機能により保持する端末保持部を有する内側面４２とを有している。
【００２１】
図２に示すように、持ち運び時は、第１板材２０と第２副板材４０とを、外辺側において、閉じた状態で係止し、締結するバンド（係止部材又は締結部材という）６０によって締結することにより、不用意にタブレット端末Ｔが露出することを防止できる。
【００２２】
このようにタブレット端末用ケース１０に収納されるタブレット端末Ｔをバンド６０を取り外して使用する場合と、マスク保持部３４と第３板材５０の間で挟持されたマスクＭを出し入れする場合とで、面ファスナ３４ａと面ファスナ５１ａとの着脱を独立して行うことができる。したがって、タブレット端末Ｔを使用者が出し入れする際に、タブレット端末用ケース１０に保持しているマスクＭに使用者の手指が触れてしまう危険が低減され得る。また当該タブレット端末用ケース１０にマスクＭを装着しようとするに際して、また当該タブレット端末用ケース１０からマスクＭを取り外すに際して当該タブレット端末用ケース１０に収納させているタブレット端末Ｔに使用者の手指やマスクＭが触れてしまう危険が低減され得る。
【００２３】
なお、マスク保持部３４、及び、第３板材５０の保護面５１に抗菌層を形成するようにしてもよい。マスクＭの表面Ｍａ及び裏面Ｍｂは、マスク保持部３４の抗菌層及び第３板材５０の保護面５１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００２４】
このように構成されたタブレット端末用ケース１０は、次のようにして用いる。タブレット端末Ｔを第２副板材４０の内側面４２に保持させる。タブレット端末Ｔの非使用時は、第１板材２０と第２主板材３０及び第２副板材４０を閉じ、バンド６０によって締結する。これによりタブレット端末Ｔの表示面Ｔａは保護面２２に当接し、保護される。
【００２５】
タブレット端末Ｔの使用時は、バンド６０を外し、第１板材２０と第２主板材３０及び第２副板材４０を開き、さらに第２副板材４０を外側に折曲し、タブレット端末Ｔの第２副板材４０に保持されていない側を保護面２２に当接させる。これにより、タブレット端末Ｔは表示面Ｔａを立てた状態で保持される。
【００２６】
マスクＭを収納させる場合は、上述した非使用時及び使用時のいずれかの状態において、面ファスナ３４ａと面ファスナ５１ａとの係合を解除し、第３板材５０を開き、マスク保持部３４と第３板材５０の保護面５１とに挟持させ、図２中矢印Ｐ方向に閉じ、面ファスナ３４ａと面ファスナ５１ａとを係合させる。マスクＭを取り出す場合は、面ファスナ３４ａと面ファスナ５１ａとの係合を解除し、第３板材５０を開き、マスク保持部３４と第３板材５０の保護面５１とに挟持されているマスクＭを引き出す。
【００２７】
マスク保持部３４、及び、第３板材５０の保護面５１に抗菌層を形成した場合には、第３板材５０を折り畳むことで、マスク保持部３４の抗菌層及び第３板材５０の保護面５１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００２８】
このように本実施形態に係るタブレット端末用ケースによれば、タブレット端末の出し入れとマスクの出し入れを独立して行うことができるため、タブレット端末を収容しつつ、マスクを収容することで埃の付着や型崩れを防止でき、それと共に付着した細菌類の増殖を防止することが可能となる。特に、タブレット端末側とマスク側とを独立して開くので、タブレット端末の出し入れ時にはマスクには触れにくく、逆にマスクの出し入れ時にはタブレット端末には触れにくいため、使用者による不用意な接触機会を減らすことで、菌の無用な移動を防止することができる。
【００２９】
なお、上述した例では、１枚の第３板材を用いて１枚のマスクを保持しているが、第３板材の数は１枚に限られない。例えば、第３板材の外側に重ねて第３板材を設ければ、複数のマスクを保持することができる。
【００３０】
このように本実施形態に係るタブレット端末用ケースによれば、タブレット端末の使用と複数のマスクの出し入れを独立して行うことができるため、タブレット端末を収容しつつ、マスクを収容することで埃の付着や型崩れを防止でき、それと共に付着した細菌類の増殖を防止することが可能となる。特に、タブレット端末側とマスク側とを独立して開くので、タブレット端末の出し入れ時にはマスクには触れにくく、逆にマスクの出し入れ時にはタブレット端末には触れにくいため、使用者による不用意な接触機会を減らすことで、菌の無用な移動を防止することができる。
＜第２実施形態＞
図３は、本実施形態に係るタブレット端末用ケース１０Ａを示す斜視図である。タブレット端末用ケース１０Ａは、バンド６０の代わりにベルト（締結部材）７０によって締結することにより、不用意にタブレット端末Ｔが露出することを防止できる。
【００３１】
本実施形態に係るタブレット端末用ケース１０Ａにおいても、上述したタブレット端末用ケース１０と同様の効果を得ることができる。
【００３２】
このように本実施形態に係るタブレット端末用ケースによれば、タブレット端末の出し入れとマスクの出し入れを独立して行うことができるため、タブレット端末を使用しつつ、マスクを収容することで埃の付着や型崩れを防止でき、それと共に付着した細菌類の増殖を防止することが可能となる。特に、タブレット端末側とマスク側とを独立して開くので、タブレット端末の出し入れ時にはマスクには触れにくく、逆にマスクの出し入れ時にはタブレット端末には触れにくいため、使用者による不用意な接触機会を減らすことで、菌の無用な移動を防止することができる。
【００３３】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００３４】
１０,１０Ａ…タブレット端末用ケース、２０…第１板材、２１…外装面、２２…保護面、３０…第２主板材、３１…外装面、３２…内側面、３３…折曲部、３４…マスク保持部、３４ａ…面ファスナ、４０…第２副板材、４１…外装面、４２…内側面、５０…第３板材（第３板材）、５１…保護面、５１ａ…面ファスナ、５２…外郭面、６０…バンド（係止部、締結部材）、７０…ベルト（係止部、締結部材）、Ｍ…マスク、Ｔ…タブレット端末。
【図１】
0003232567.tif 000003
【図２】
0003232567.tif 000004
【図３】
0003232567.tif 000005